(57)【要約】【課題】本発明は、撮像レンズ等を保護可能なカメラを提供することを目的とする。【構成】  本発明を適用した、カメラ１０は、  カメラ筐体１０aと、撮像レンズ１１と、表示部１６と、ストラップ２０と、ストラップ２０に設けられストラップ２０がカメラ筐体１０aに巻きつけられた際に、撮像レンズ１１と表示部１６との少なくとも一方を保護する保護部２２と、ストラップ２０がカメラ筐体１０aに巻きつけられた際に、保護部２２による保護状態を維持するようストラップ２０の位置を規制する位置規制部（１５、２２ｃ）とを具備する。【選択図】図１
2007093835.tif 000002
【特許請求の範囲】
【請求項１】
カメラ筐体と、
撮像レンズと、
表示部と、
ストラップと、
前記ストラップに設けられ該ストラップが前記カメラ筐体に巻きつけられた際に、前記撮像レンズと表示部との少なくとも一方を保護する保護部と、
前記ストラップが前記カメラ筐体に巻きつけられた際に、前記保護部による保護状態を維持するよう前記ストラップの位置を規制する位置規制部とを具備することを特徴とするカメラ。
【請求項２】
請求項１に記載のカメラにおいて、
前記ストラップは、
第一の紐と、
第二の紐と、
前記第一および第二の紐の一端にそれぞれ設けられ、前記第一と第二の紐とを着脱可能に接続する紐接続部とを含むことを特徴とするカメラ。
【請求項３】
請求項１に記載のカメラシステムにおいて、
前記ストラップが前記カメラ筐体に巻きつく部分の前記ストラップの長さを調整する調整部を更に具備することを特徴とするカメラ。
【請求項４】
請求項１乃至３に記載のカメラにおいて、
前記ストラップの少なくとも一部が伸縮素材から成ることを特徴とするカメラ。
【請求項５】
カメラ筐体と、
画像を表示するモニタと、
前記カメラ筐体に取り付けられるストラップと、
前記ストラップに取り付けられ、前記モニタに着脱可能であり、前記モニタの非使用時に前記モニタに取り付けられることにより、前記モニタを保護するモニタ保護部材とを具備することを特徴とするカメラ。
【発明の詳細な説明】
【技術分野】
【０００１】
カメラに関する。
【背景技術】
【０００２】
従来より、カメラ等の携帯機器において、携帯時（不使用時）に撮像レンズ等を保護するためにレンズキャップ等が用いられている。しかし、カメラ使用時には該レンズキャップは取り外し、別途携帯する必要がり、取り外したレンズキャップを紛失する等の問題があった。そのため、携帯時にはカメラ保持用に用いるストラップ（保護用トラップ）をカメラ本体に巻きつけ撮像レンズ等を保護するものがある（特許文献１）。
【特許文献１】特開２００１−１４２１３７号公報
【発明の開示】
【発明が解決しようとする課題】
【０００３】
しかし、上述した特許文献１においては、撮像レンズを保護するストラップが不用意にずれる問題がある。
本発明は、撮像レンズ等を保護可能なカメラを提供することを目的とする。
【課題を解決するための手段】
【０００４】
本発明を適用した、カメラは、
カメラ筐体と、撮像レンズと、表示部と、ストラップと、前記ストラップに設けられ該ストラップが前記カメラ筐体に巻きつけられた際に、前記撮像レンズと表示部との少なくとも一方を保護する保護部と、前記ストラップが前記カメラ筐体に巻きつけられた際に、前記保護部による保護状態を維持するよう前記ストラップの位置を規制する位置規制部とを具備する。
【０００５】
さらに本発明を適用した、カメラは、
カメラ筐体と、画像を表示するモニタと、前記カメラ筐体に取り付けられるストラップと、前記ストラップに取り付けられ、前記モニタに着脱可能であり、前記モニタの非使用時に前記モニタに取り付けられることにより、前記モニタを保護するモニタ保護部材とを具備する。
【発明の効果】
【０００６】
本発明における請求項１に記載のカメラは、ストラップをカメラに巻きつけ保護する際に、保護部がズレにくくなる。
さらに本発明における請求項６に記載のカメラは、モニタ保護部材をストラップに設けたため、モニタ保護部材の紛失を防止できる。
【発明を実施するための最良の形態】
【０００７】
以下、本発明を適用した実施の形態について図１〜１０を用いて説明する。
＜第一の実施の形態＞
本発明を適用した第一の実施の形態について図１、図２を用いて説明する。
【０００８】
本発明を適用したデジタルカメラ１０の正面外観図を図１aに、背面外観図を図１ｂに示す。
図示のごとくデジタルカメラ１０は、電源OFF時には撮像レンズ１１がカメラボディへ沈胴するレンズ一体型デジタルカメラである。デジタルカメラ１０は、後述する各部品や電子機器を収納する筐体１０aを有している。デジタルカメラ１０の筐体１０aの正面には撮像レンズ１１、ファインダ対物窓１２、フラッシュ１３が、一方の側面にはストラップ取付部１４、もう一方の側面には突起部１５が、背面には背面モニタ１６、ファインダ接眼窓１７、インジケータLED１８等が設けられている。
【０００９】
ストラップ２０は、取付部１４に取り付けられる取付紐部２１と、ストラップ２０をデジタルカメラ１０に巻きつけた際に保護する保護紐部２２、および取付紐部２１および保護紐部２２をつなぐ接続部２３から構成される。保護紐部２２は、帯状の紐部材２２aおよび２２ｂと、これらをつなぐ２本の紐からなる保護紐接続部２２ｃとから構成される。保護紐部２２は、輪形状となるように、その両端部を接続部２３により留められている。
【００１０】
ストラップ２０を筐体１０aに巻きつけた際のデジタルカメラ１０の正面外観図を図２aに、背面外観図を図２ｂに示す。ストラップ２０の保護紐部２２は、デジタルカメラ１０の筐体１０aの正面、側面、背面を覆うように巻きつけられ、保護紐部２２に設けられた保護紐接続部２２ｃの２本の紐の間にデジタルカメラ１０の突起部１５にはめ込まれストラップ２０の位置が規制される。図示のごとく、ストラップ２０が筐体１０aに巻きつけられた際には撮像レンズ１１、ファインダ対物窓１２、フラッシュ１３、背面モニタ１６、インジケータLED１８等が保護紐部２２によって覆われる。なお、紐部材２２a及び２２ｂの少なくとも一部に、または紐接続部２２ｃに、長手方向に伸縮可能な伸縮素材を用いても良い。これにより、ストラップ２０をデジタルカメラ１０の筐体１０aに巻きつけやすくなる。また、保護紐部２２の紐幅は、デジタルカメラ１０のストラップ巻きつけ方向と垂直方向のデジタルカメラ１の幅に応じて決定されている。なお、上記の保護紐部２２によって覆われる撮像レンズ１１等の部材は、保護紐部２２によって完全におおわれていなくとも良い。
【００１１】
以上第一の実施の形態におけるストラップ２０は、ストラップ２０をデジタルカメラ１０に巻き付けることにより、デジタルカメラ１０の撮像レンズ１１等を保護することができる。また、ストラップ２０をデジタルカメラ１０に巻きつけた際に、保護紐接続部２２ｃの2本の紐の間に突起部１５がはめ込まれるため、保護紐部２２が、撮像レンズ２１や背面モニタ２６等を保護する保護位置からズレにくくなる。なお、保護紐部２２を一本の帯状の紐部材で構成しても良く、その場合デジタルカメラ1０に巻きつけられた際に突起部１５にはめ込まれる穴部を保護紐部２２中央に設ける。
【００１２】
また、突起部１５が設けられた側面に滑り止め防止の部材（摩擦抵抗の大きい部材）を設けたり、保護紐部２２に滑り止め防止部材等を設けても良い。これにより、デジタルカメラ１０に巻きつけられた保護紐部２２がズレにくくなる。この場合突起部１５を設けなくとも良い。
＜第二の実施の形態＞
本発明を適用した第二の実施の形態について図３、図４を用いて説明する。
【００１３】
本発明を適用したデジタルカメラ３０の正面外観図を図３aに、背面外観図を図３ｂに示す。第二の実施の形態では、ストラップ４０を上部、下部とに分けて巻きつけることによりデジタルカメラ３０を保護する。なお、デジタルカメラ３０については、第一の実施の形態とほぼ同様の部材については同じ番号を付す。
【００１４】
デジタルカメラ３０は、電源OFF時には撮像レンズ１１がカメラボディへ沈胴するレンズ一体型デジタルカメラである。デジタルカメラ３０は、後述する各部品や電子機器を収納する筐体３０aを有している。デジタルカメラ３０正面には撮像レンズ１１、ファインダ対物窓１２、フラッシュ１３が、一方の側面にはストラップ取付部３１、もう一方の側面には突起部３２aおよび３２ｂが、背面には背面モニタ１６、ファインダ接眼窓１７、インジケータLED１８等が設けられている。なお、ストラップ取付部３１に突起部３１aが設けられている。
【００１５】
ストラップ４０は、取付部３１に接続される取付紐部４１と、ストラップ４０をデジタルカメラ３０の筐体３０aに巻きつけた際に保護する保護紐部４２、および接続部４３とから構成される。接続部４３は、取付紐部４１と保護紐部４２とをつないでいる。保護紐部４２は、帯状の紐部材である保護紐４２aおよび４２ｂ、保護紐接続部４２ｃで構成され、図示のごとく保護紐４２aおよび４２ｂは、その一方の端部が保護紐接続部４２ｃの２本の紐により接続されている。保護紐４２aおよび４２ｂの中央にはそれぞれ穴４２ｄ、４２eが設けられている。また、保護紐部４２は、輪形状となるように、保護紐４２aおよび４２ｂの保護紐接続部４２ｃが接続されていない方の端部が接続部４３により留められている。
【００１６】
ストラップ４０をデジタルカメラ３０の筐体３０aに巻きつけた際のデジタルカメラ３０の正面外観図を図４aに、背面外観図を図４ｂに示す。
筐体３０aにストラップ４０を巻きつけるには、まず、保護紐４２aの穴４２ｄが突起部３２aにはめ込まれるようにデジタルカメラ３０の筐体３０aの正面、側面、背面を覆うように保護紐４２aを巻きつけ、保護紐接続部４２ｃの２本の紐を取付部３１の突起部３１aに引っ掛ける。次に保護紐４２ｂの穴４２eが突起部３２bにはめ込まれるように筐体３０aの正面、側面、背面を覆うように保護紐４２ｂを巻きつける。なお、保護紐４２aおよび４２ｂ、又は保護紐接続部４２ｃを伸縮性の素材により構成されるようにしても良い。この場合、ストラップ４０を筐体３０aに巻きつけやすくなる。
【００１７】
図示のごとく、ストラップ４０がデジタルカメラ３０に巻きつけられた際には撮像レンズ１１、ファインダ対物窓１２、フラッシュ１３、背面モニタ１６、インジケータLED１８等が保護紐４２aおよび保護紐４２ｂによって覆われる。なお、上記の保護紐部４２によって覆われる撮像レンズ１１等の部材は、保護紐部４２によって完全におおわれていなくとも良い。
【００１８】
以上第二の実施の形態におけるストラップは４０は、ストラップ４０をデジタルカメラ３０に巻き付けることにより、デジタルカメラ３０の撮像レンズ１１等を保護することができる。さらに、ストラップ４０を上部、下部とに分けて巻き付けるため、ストラップ自体の長さを確保できる。また、ストラップ４０を上部、下部とに分けて巻き付けるため、保護紐部４２aおよび４２ｂの幅が狭い場合であってもデジタルカメラ３０を保護できる。
【００１９】
また、ストラップ４０を筐体３０aに巻きつけた際に、保護紐４２a、４２ｂに設けられた穴４２ｄ、４２eに、突起部３２a、３２ｂがはめ込まれるため、保護紐部４２が、撮像レンズ１１や背面モニタ１６等を保護する保護位置からズレにくくなる。
【００２０】
なお、突起部３２a、３２ｂが設けられた側面に滑り止め防止の部材を設けても良い。これにより、デジタルカメラ３０の筐体３０aに巻きつけられた保護紐部４２がズレにくくなる。なお、この場合は突起部３２a、３２ｂを設けなくとも良い。
＜第三の実施の形態＞
本発明を適用した第三の実施の形態について図５、図６を用いて説明する。
【００２１】
本発明を適用したデジタルカメラ５０の正面外観図を図５aに、背面外観図を図５ｂに示す。
図示のごとくデジタルカメラ５０は、電源OFF時には撮像レンズ５１がカメラボディへ沈胴するレンズ一体型デジタルカメラである。デジタルカメラ５０は、後述する各部品や電子機器を収納する筐体５０aを有している。
【００２２】
第三の実施の形態におけるデジタルカメラ５０は、正面に設けられた開口５１内に撮像レンズ５２が、一方の側面にストラップ取付部５３が、背面に設けられた開口５４内に背面モニタ５５等が設けられている。図示のごとく撮像レンズ５２は、その前面がデジタルカメラ５０の筐体５０a正面より内側に沈んだ位置まで沈胴する。また、背面モニタ５５は、その表示面が筐体５０a背面よりカメラ内側に沈んだ位置に配置される。
【００２３】
ストラップ６０は、取付部５３に接続される取付紐部６１と、紐部６２、および取付紐部６１および紐部６２をつなぐ接続部６３から構成される。紐部６２は、輪形状となるように、その両端部を接続部２３により留められている。また、紐部６２には、開口５１にはめ込まれる撮像レンズ保護部板６３および開口５４にはめ込まれるモニタ保護部板６４が、それぞれ貫通され、紐部６２に沿って移動可能に設けられている。なお、撮影レンズ保護板６３および液晶保護板６４は外部からの衝撃を吸収する緩衝素材から成る。
【００２４】
ストラップ６０をデジタルカメラ５０に巻きつけた際のデジタルカメラ５０の正面外観図を図６aに、背面外観図を図６ｂに示す。ストラップ６０は、撮影レンズ５１及び背面モニタ５５の非使用時に紐部６２に設けられた撮像レンズ保護部材６３およびモニタ保護部材６４が、それぞれ開口５１および５４にはめ込まれるように正面、側面、背面を回して巻きつけられる。
【００２５】
以上第三の実施の形態におけるストラップは６０は、ストラップ６０をデジタルカメラ５０に巻き付けることにより、デジタルカメラ５０の撮像レンズ５２や背面モニタ５５等を保護することができる。さらに、撮像レンズ保護部材６３およびモニタ保護部材６４は、不使用時には保護紐部６２に取り付けられているため、筐体５０aから取り外された際に紛失することが無い。
＜第四の実施の形態＞
本発明を適用した第四の実施の形態について図７、図８を用いて説明する。
【００２６】
本発明を適用したデジタルカメラ７０の正面外観図を図７aに、背面外観図を図７ｂに示す。デジタルカメラ７０は、後述する各部品や電子機器を収納する筐体７０aを有している。
【００２７】
図示のごとくデジタルカメラ７０は、電源OFF時には撮像レンズ７１がカメラボディへ沈胴するレンズ一体型デジタルカメラである。デジタルカメラ７０の筐体７０aは、正面に撮像レンズ７１、ファインダ対物窓７２、フラッシュ７３が、一方の側面にはストラップ取付部７４、もう一方の側面には溝部７５が、背面には背面モニタ７６、ファインダ接眼窓７７、インジケータLED７８等が設けられている。なお溝部７５は、ストラップ８０がデジタルカメラ７０に巻きつけられた際にストラップの位置を規制する。
【００２８】
ストラップ８０は、取付部７４に取り付けられる取付紐部８１と、ストラップ８０をデジタルカメラ７０の筐体７０aに巻きつけた際に保護する保護紐部８２、および取付紐部８１および保護紐部８２をつなぐ接続部８３から構成される。保護紐部８２は、帯状の伸縮可能な紐部材である保持紐８２aおよび８２ｂで構成され、保持紐８２aおよび８２ｂは、その一方の端部に設けられた面ファスナー８２ｃおよび８２ｄによって着脱可能に係合されている。なお、面ファスナーとは鉤状の突起が一面についた布と、パイル状の面で一組みとなった留め具である。さらに、保護紐部８２は、輪形状となるように、保持紐８２aおよび８２ｂの面ファスナーが設けられていない端部を接続部８３により留められている。
【００２９】
ストラップ８０をデジタルカメラ７０に巻きつけた際のデジタルカメラ７０の正面外観図を図８aに、背面外観図を図８ｂに示す。
ストラップ８０は、保持紐８２a、８２ｂにより、それぞれデジタルカメラ７０の筐体７０a正面、背面を覆うように巻きつけられ、保持紐８２aおよび８２ｂの面ファスナー部８２ｃ、８２ｄが互いに係合され、係合された面ファスナー部８２ｃ、８２ｄが側面に設けられた溝部７５にはめ込まれる。図示のごとく、ストラップ８０が筐体７０aに巻きつけられた際には撮像レンズ７１、ファインダ対物窓７２、フラッシュ７３、背面モニタ７６、インジケータLED７８等が保護紐部８２によって覆われる。なお、紐部材８２a及び８２ｂに長手方向に伸縮可能な伸縮素材を用いても良い。これにより、ストラップ８０をデジタルカメラ７０の筐体７０aに巻きつけやすくなる。また、保護紐部８２の紐幅は、デジタルカメラ７０のストラップ巻きつけ方向と垂直方向のデジタルカメラ７０の筐体７０aの幅に応じて決定されている。なお、上記の保護紐部８２によって覆われる撮像レンズ７１等の部材は、保護紐部８２によって完全におおわれていなくとも良い。
【００３０】
以上第四の実施の形態におけるストラップは８０は、ストラップ８０をデジタルカメラ７０の筐体７０aに巻き付けることにより、デジタルカメラ７０の撮像レンズ７１や背面モニタ７６等を保護することができる。
【００３１】
また、ストラップ８０を筐体７０aに巻きつけた際に溝部７５に保護紐部８２がはめ込まれるため、保護紐部８２が撮像レンズ７１や背面モニタ７６等を保護する保護位置からズレにくくなる。さらに、溝部７５に滑り止め防止の部材（摩擦抵抗の大きい部材）を設けても良い。これにより、筐体７０aに巻きつけられた保護紐部８２がよりズレにくくなる。この場合、デジタルカメラ７０に溝部７５を設けなくとも良い。
【００３２】
さらに本発明におけるストラップ８０は、保護紐部８２が面ファスナー部により分離可能なため、保護紐部８２が伸縮しない場合であってもデジタルカメラ７０に巻きつけることができる。
＜第五の実施の形態＞
本発明を適用した第五の実施の形態について図９、図１０を用いて説明する。
【００３３】
本発明を適用したストラップ１００および該ストラップ１００を装着したデジタルカメラ９０の正面外観図を図９aに、背面外観図を図９ｂに示す。デジタルカメラ９０は、後述する各部品や電子機器を収納する筐体９０aを有している。
【００３４】
図示のごとくデジタルカメラ９０は、電源OFF時には撮像レンズ９１がカメラボディへ沈胴するレンズ一体型デジタルカメラである。デジタルカメラ９０の筐体９０aには、正面に撮像レンズ９１、一方の側面にはストラップ取付部９２、もう一方の側面には溝部９３が、背面には背面モニタ９４等が設けられている。
【００３５】
ストラップ１００は、取付部１０２に接続される取付紐部１０１と、ストラップ１００をデジタルカメラ９０の筐体９０aに巻きつけた際に保護する保護紐部１０２、および取付紐部１０１および保護紐部１０２をつなぐ接続部１０３から構成される。保護紐部１０２は、帯状の伸縮可能な部材であり、輪形状となるように、その両端部を接続部１０３により留められている。また、図示のごとく保護紐部１０２には、輪形状の保護紐部１０２を重ねた状態で貫通させ任意の位置で保護紐部１０２に固定可能なバンド部材１０２aが設けられている。
【００３６】
ストラップ１００をデジタルカメラ９０の筐体９０aに巻きつけた際のデジタルカメラ９０の正面外観図を図１０aに、背面外観図を図１０ｂに示す。ストラップ１００の保護紐部１０２は、デジタルカメラ９０の正面、側面、背面を覆うように巻きつけられる。バンド部材１０２aは、溝部９３の位置で保護紐部１０２を固定する。このようにしてバンド部材１０２aは、ストラップ１００のうちでカメラ筐体９０aに巻きつく部分の長さを調整できる。なお、バンド部材１０２aを溝部９３に着脱可能に接続しても良い。
【００３７】
図示のごとく、ストラップ１００がデジタルカメラ９０の筐体９０aに巻きつけられた際には撮像レンズ９１、背面モニタ９４等が保護紐部１０２によって覆われる。なお、紐部材１０２に長手方向に伸縮可能な伸縮素材を用いても良い。これにより、ストラップ１００をデジタルカメラ９０の筐体９０aに巻きつけやすくなる。また、保護紐部１０２の紐幅は、デジタルカメラ９０のストラップ巻きつけ方向と垂直方向のデジタルカメラ１の幅に応じて決定されている。なお、上記の保護紐部１０２によって覆われる撮像レンズ９１等の部材は、保護紐部１０２によって完全におおわれていなくとも良い。
【００３８】
以上第五の実施の形態におけるストラップは１００は、保護紐部１０２をデジタルカメラ９０の筐体９０aに巻き付けることにより、デジタルカメラ９０の撮像レンズ９１等を保護することができる。また、ストラップ１００の保護紐部１０２が長い場合でってもバンド部材１０２aにより調整することにより、ストラップ１００をデジタルカメラ９０の筐体９０aに巻きつけ保護することができる。
また、溝部９３が設けられた側面に滑り止め防止の部材（摩擦抵抗の大きい部材）を設けても良い。これにより、筐体９０aに巻きつけられた保護紐部１０２がズレにくくなる。この場合、デジタルカメラ９０の筐体９０aに溝部９３を設けなくとも良い。
【００３９】
なお、上述では、本発明を撮像レンズがカメラボディに沈胴するデジタルカメラに適用した場合について説明したがこれに限るものでは無い。例えばカメラボディから撮像レンズが突出しないデジタルカメラや、銀塩カメラ、ビデオカメラに本発明を適用しても良い。
【図面の簡単な説明】
【００４０】
【図１】第一の実施の形態におけるデジタルカメラの外観図
【図２】第一の実施の形態におけるデジタルカメラの外観図
【図３】第二の実施の形態におけるデジタルカメラの外観図
【図４】第二の実施の形態におけるデジタルカメラの外観図
【図５】第三の実施の形態におけるデジタルカメラの外観図
【図６】第三の実施の形態におけるデジタルカメラの外観図
【図７】第四の実施の形態におけるデジタルカメラの外観図
【図８】第四の実施の形態におけるデジタルカメラの外観図
【図９】第五の実施の形態におけるデジタルカメラの外観図
【図１０】第五の実施の形態におけるデジタルカメラの外観図
【符号の説明】
【００４１】
１０  デジタルカメラ
１０a  筐体
１１  撮像レンズ
１６  背面モニタ
２０  ストラップ
３０  デジタルカメラ
３０a  筐体
４０  ストラップ
５０  デジタルカメラ
５２  撮像レンズ
５５  背面モニタ
６０  ストラップ
７０  デジタルカメラ
７０a  筐体
７１  撮像レンズ
７６  背面モニタ
８０  ストラップ
９０  デジタルカメラ
９０a  筐体
９１  撮像レンズ
９４  背面モニタ
１００  ストラップ
【図１】
2007093835.tif 000003
【図２】
2007093835.tif 000004
【図３】
2007093835.tif 000005
【図４】
2007093835.tif 000006
【図５】
2007093835.tif 000007
【図６】
2007093835.tif 000008
【図７】
2007093835.tif 000009
【図８】
2007093835.tif 000010
【図９】
2007093835.tif 000011
【図１０】
2007093835.tif 000012